(57)【要約】【課題】外部から端末装置の動作を従来と比して一段と容易に且つ細かく制御できるようにする。【解決手段】多機能端末１１が、管理サーバ１２から送られてくる、実行する機能が指定された機能識別情報Ｆｄと、機能の実行と共に多機能端末１１に再生する機能紹介データの取得先が指定されたパラメータＰａとを対応付けてなる機能実行情報Ｆａのリストである機能実行リストＦＬを受信して、この機能実行リストＦＬに基づき、各機能実行情報Ｆａの機能識別情報Ｆｄにより指定される機能を順に実行すると共に、各機能実行情報ＦａのパラメータＰａにより指定される取得先から機能紹介データを取得して、これを対応する機能の実行中に再生するようにしたことにより、管理サーバ１２側から、機能実行リストＦＬを介して、多機能端末１１の動作を容易に且つ細かく制御できる。【選択図】図４
2008217123.tif 000002
【特許請求の範囲】
【請求項１】
サーバと、当該サーバと通信可能に接続された端末装置とを有する通信システムにおいて、
上記サーバは、
上記端末装置に実行させる機能を示す機能識別情報と、当該機能識別情報が示す機能の実行時に当該機能の実行と共に上記端末装置に再生させるデータの取得先を示す取得先情報とを対応付けてなる機能実行情報のリストを生成するリスト生成手段と、
上記リスト生成手段で生成された上記リストを上記端末装置に送信する送信手段と
を具え、
上記端末装置は、
上記サーバから上記リストを受信する受信手段と、
受信した上記リストに記された上記取得先情報に基づいて上記データを上記取得先から取得する取得手段と、
上記データを再生する再生手段と、
受信した上記リストに記された上記機能識別情報が示す機能を当該リストの順に実行すると共に、上記取得手段により取得された上記データを対応する機能の実行時に再生するように上記再生手段を制御する制御手段と
を具えることを特徴とする通信システム。
【請求項２】
実行する機能を示す機能識別情報と、当該機能識別情報が示す機能の実行時に当該機能の実行と共に再生するデータの取得先を示す取得先情報とを対応付けてなる機能実行情報のリストを外部から受信する受信手段と、
受信した上記リストに記された上記取得先情報に基づいて上記データを上記取得先から取得する取得手段と、
上記データを再生する再生手段と、
受信した上記リストに記された上記機能識別情報が示す機能を当該リストの順に実行すると共に、上記取得手段により取得された上記データを対応する機能の実行時に再生するように上記再生手段を制御する制御手段と
を具えることを特徴とする端末装置。
【請求項３】
上記機能実行情報は、
上記機能識別情報及び上記取得先情報に、当該機能識別情報が示す機能を実行する時刻を示す時刻情報が対応付けられており、
上記制御手段は、
受信した上記リストに記された上記機能識別情報が示す機能を対応する上記時刻情報が示す時刻に実行する
ことを特徴とする請求項２に記載の端末装置。
【請求項４】
上記制御手段は、
受信した上記リストに記された上記機能識別情報が示す機能を有していない場合、当該機能の実行を省略する
ことを特徴とする請求項２に記載の端末装置。
【請求項５】
上記制御手段には、
当該制御手段が有する機能ごとに、受信した上記リストに基づいて実行することを許可または禁止する設定がなされており、
上記制御手段は、
受信した上記リストと、上記設定に基づいて、受信した上記リストに記された上記機能識別情報が示す機能のうちの実行する機能を決定する
ことを特徴とする請求項２に記載の端末装置。
【請求項６】
上記機能実行情報は、
上記機能識別情報が示す機能の実行が、他の機能の実行に依存する場合に、依存する機能を示す依存情報が上記機能識別情報及び上記取得先情報に対応付けられており、
上記制御手段は、
上記機能実行情報に上記依存情報が記されている場合には、当該依存情報が示す機能を既に実行したかどうかを判定して、既に実行した場合にのみ、当該依存情報が記されている機能実行情報が示す機能を実行する
ことを特徴とする請求項２に記載の端末装置。
【請求項７】
上記リストには、有効期間が記されており、
上記制御手段は、
現在時刻が、受信した上記リストに記された有効期間内であるかどうかを判定し、有効期間内であれば、受信した上記リストに記された上記機能識別情報が示す機能を当該リストの順に実行すると共に、上記取得手段により取得された上記データを対応する機能の実行時に再生するように上記再生手段を制御する
ことを特徴とする請求項２に記載の端末装置。
【請求項８】
通信可能に接続された端末装置に実行させる機能を示す機能識別情報と、当該機能識別情報が示す機能の実行時に当該機能の実行と共に上記端末装置に再生させるデータの取得先を示す取得先情報とを対応付けてなる機能実行情報のリストを生成するリスト生成手段と、
上記リスト生成手段で生成された上記リストを上記端末装置に送信する送信手段と
を具えることを特徴とするサーバ。
【請求項９】
実行する機能を示す機能識別情報と、当該機能識別情報が示す機能の実行時に当該機能の実行と共に再生するデータの取得先を示す取得先情報とを対応付けてなる機能実行情報のリストを外部から受信する受信ステップと、
受信した上記リストに記された上記機能識別情報が示す機能を当該リストの順に実行すると共に、当該リストに記された上記取得先情報に基づいて取得した上記データを対応する機能の実行時に再生する再生ステップと
を具えることを特徴とする端末装置の制御方法。
【請求項１０】
端末装置に対して、
実行する機能を示す機能識別情報と、当該機能識別情報が示す機能の実行時に当該機能の実行と共に再生するデータの取得先を示す取得先情報とを対応付けてなる機能実行情報のリストを外部から受信する受信ステップと、
受信した上記リストに記された上記機能識別情報が示す機能を当該リストの順に実行すると共に、当該リストに記された上記取得先情報に基づいて取得した上記データを対応する機能の実行時に再生する再生ステップと
を実行させることを特徴とする端末装置の制御プログラム。
【発明の詳細な説明】
【技術分野】
【０００１】
本発明は、通信システム、端末装置、サーバ、端末装置の制御方法及びそのプログラムに関し、例えば、端末装置の動作を外部から制御する場合に適用して好適なものである。
【背景技術】
【０００２】
近年、インターネットやＬＡＮ（Local Area Network）などのネットワークを利用した通信システムが広く普及している。この種の通信システムは、ネットワークを介して接続される複数の通信装置により構成され、送信側となる通信装置から受信側となる通信装置にネットワーク経由で各種情報を送信するようになされている。
【０００３】
従来、このような通信システムの１つとして、送信側となるパーソナルコンピュータが所定のユーザ操作に応じて受信側となる複数のプロジェクタに所定の画像を表示するよう命令する命令情報を送信することで、複数のプロジェクタに同一の画像を表示させるようにした電子会議システムが提案されている（例えば特許文献１参照）。
【特許文献１】特開２００３−９１４９０公報
【発明の開示】
【発明が解決しようとする課題】
【０００４】
ところで、上述した電子会議システムでは、命令を受ける側の通信装置（プロジェクタ）に対して、１度の命令で１つの機能（画像表示）を実行させることしかできないため、この通信装置の動作を外部（すなわち命令する側の通信装置）から細かく制御することが困難であるという問題があった。
【０００５】
本発明は以上の点を考慮してなされたもので、外部から端末装置の動作を従来と比して一段と容易に且つ細かく制御することができる通信システム、端末装置、サーバ、端末装置の制御方法及びそのプログラムを提案しようとするものである。
【課題を解決するための手段】
【０００６】
かかる課題を解決するため本発明においては、サーバが、端末装置に実行させる機能を示す機能識別情報と、当該機能識別情報が示す機能の実行時に当該機能の実行と共に端末装置に再生させるデータの取得先を示す取得先情報とを対応付けてなる機能実行情報のリストを生成して端末装置に送信し、端末装置が、受信したリストに記された機能識別情報が示す機能を当該リストの順に実行すると共に、当該リストに記された取得先情報に基づいて取得したデータを対応する機能の実行時に再生するようにした。
【０００７】
こうすることで本発明は、サーバから端末装置に機能実行情報のリストを送信するだけで、端末装置に対して複数の機能を順に実行させることができるだけでなく、各機能の実行と共に任意のデータを再生させることができる。
【発明の効果】
【０００８】
本発明によれば、サーバが、端末装置に実行させる機能を示す機能識別情報と、当該機能識別情報が示す機能の実行時に当該機能の実行と共に端末装置に再生させるデータの取得先を示す取得先情報とを対応付けてなる機能実行情報のリストを生成して端末装置に送信し、端末装置が、受信したリストに記された機能識別情報が示す機能を当該リストの順に実行すると共に、当該リストに記された取得先情報に基づいて取得したデータを対応する機能の実行時に再生するようにしたことにより、サーバから端末装置に機能実行情報のリストを送信するだけで、端末装置に対して複数の機能を順に実行させることができるだけでなく、各機能の実行と共に任意のデータを再生させることができ、かくして外部から端末装置の動作を従来と比して一段と容易に且つ細かく制御することができる通信システム、端末装置、サーバ、端末装置の制御方法及びそのプログラムを実現できる。
【発明を実施するための最良の形態】
【０００９】
以下、図面について、本発明の実施の形態を詳述する。
【００１０】
（１）第１の実施の形態
（１−１）第１の実施の形態の概要
まず、第１の実施の形態の概要を説明する。ちなみにこの概要を説明した後、第１の実施の形態の具体例の説明に移る。
【００１１】
図１において１は、全体として通信システムのシステム構成を示し、この通信システム１は、サーバ２と、このサーバ２と通信可能に接続された端末装置３とで構成される。サーバ２は、端末装置３に実行させる機能を示す機能識別情報と、当該機能識別情報が示す機能の実行時に当該機能の実行と共に端末装置３に再生させるデータの取得先を示す取得先情報とを対応付けてなる機能実行情報のリストを生成するリスト生成部４と、リスト生成部４で生成されたリストを端末装置３に送信する送信部５とを有する。
【００１２】
一方、端末装置３は、サーバ２から機能実行情報のリストを受信する受信部６と、受信したリストに記された取得先情報に基づいてデータを取得先から取得する取得部７と、データを再生する再生部８と、受信したリストに記された機能識別情報が示す機能を当該リストの順に実行すると共に、取得部７により取得されたデータを対応する機能の実行時に再生するように再生部８を制御する制御部９とを有する。
【００１３】
このようなシステム構成により、通信システム１は、サーバ２から端末装置３に機能実行情報のリストを送信するだけで、端末装置３に対して複数の機能を順に実行させることができるだけでなく、各機能の実行と共に任意のデータを再生させることができ、かくして、端末装置３の動作を外部から従来と比して一段と容易に且つ細かく制御することができる。
【００１４】
（１−２）第１の実施の形態の具体例
（１−２−１）デモンストレーションシステムの構成
つづけて、第１の実施の形態の具体例を説明する。図２において１０は、上述した通信システム１の具体例であるデモンストレーションシステムを示し、ラジオ再生機能、ＣＤ（Compact Disc）再生機能、音楽配信サイトへアクセスする機能（これをサイトアクセス機能とも呼ぶ）などの各種機能を有する複数の多機能端末１１（１１Ａ、１１Ｂ、１１Ｃ）と、これら複数の多機能端末１１（１１Ａ、１１Ｂ、１１Ｃ）とネットワークＮＴを介して通信可能に接続され、各多機能端末１１に対して、後述する機能実行リストを送信することで各種機能のデモンストレーションを行わせる管理サーバ１２とで構成される。
【００１５】
ここで、このデモンストレーションステム１０を構成する管理サーバ１２が上述したサーバ２の具体例である。また多機能端末１１が上述した端末装置３の具体例であり、複数の多機能端末１１（１１Ａ、１１Ｂ、１１Ｃ）のそれぞれは、同一構成とする。
【００１６】
（１−２−２）多機能端末及び管理サーバの機能構成
多機能端末１１は、図３に示すように、制御部２０が各部を統括的に制御することで各種機能を実行するようになされている。具体的に言うと、制御部２０は、ユーザにより操作部２１を介してラジオ再生機能が選択された場合、ラジオ受信部２２で受信されるラジオ放送波から例えば操作部２１を介して指定された周波数のラジオ放送信号をラジオ受信部２２で抽出して、この放送信号に対して再生部２３で増幅処理などの所定の再生処理を施すことにより音声信号を得、この音声信号に基づく音声を出力部２４から出力する。このようにして制御部２０は、ラジオ再生機能を実行するようになされている。
【００１７】
また制御部２０は、操作部２１を介してラジオ録音機能が選択された場合、ラジオ受信部２２で受信されるラジオ放送波から操作部２１を介して指定された周波数のラジオ放送信号をラジオ受信部２２で抽出して、このラジオ放送信号に対して録音部２５でアナログデジタル変換処理などの所定の録音処理を施すことにより音声データを得、この音声データを記憶媒体２６に記憶する。このようにして制御部２０は、ラジオ録音機能を実行するようになされている。
【００１８】
さらに制御部２０は、操作部２１を介してＣＤ再生機能が選択された場合、ＣＤ読出部２７に装填されたＣＤから例えば操作部２１を介して指定されたトラックの音楽データをＣＤ読出部２７で読み出して、この音楽データに対して再生部２３でデジタルアナログ変換処理、増幅処理などの所定の再生処理を施すことにより音楽信号を得、この音楽信号に基づく音楽を出力部２４から出力する。このようにして制御部２０は、ＣＤ再生機能を実行するようになされている。
【００１９】
さらに制御部２０は、操作部２１を介してＣＤリッピング機能が選択された場合、ＣＤ読出部２７に装填されたＣＤから例えば操作部２１を介して指定されたトラックの音楽データをＣＤ読出部２７で読み出して、この音楽データに対して録音部２５でデータ形式の変換処理などの所定のリッピング処理を施すことによりリッピング音楽データを得、このリッピング音楽データを記憶媒体２６に記憶する。このようにして制御部２０は、ＣＤリッピング機能を実行するようになされている。ちなみに、制御部２０は、このＣＤリッピング機能を実行する場合、ＣＤのＴＯＣ（Table Of Contents）情報などを基に、リッピング音楽データの収録アルバム名、曲名、アーティスト名、ジャンル、再生時間、曲ＩＤなどの情報（これを関連情報とも呼ぶ）を、例えば、ネットワークＮＴ上の関連情報配信サーバ（図示せず）から通信部２８を介して取得して、これをリッピング音楽データと共に、記憶媒体２６に記憶するようにもなされている。
【００２０】
さらに制御部２０は、操作部２１を介してサイトアクセス機能が選択された場合、音楽配信サイトを開設しているネットワークＮＴ上の音楽配信サーバ（図示せず）に通信部２８を介してアクセスする。この結果、この音楽配信サーバから音楽配信サイトのページデータが送信されてくると、制御部２０は、これを通信部２８で受信して、このページデータを基に表示制御部２９で所定の画面生成処理を行うことにより画面データを生成して、この画面データに基づく画面（つまり音楽配信サイトの画面）を表示部３０に表示する。このようにして制御部２０は、サイトアクセス機能を実行するようになされている。ちなみに、この音楽配信サイトの画面には、例えば、音楽配信サーバからダウンロード可能な音楽データに関する情報が提示されるようになされている。
【００２１】
さらに制御部２０は、操作部２１を介して、表示部３０に表示している音楽配信サイトの画面からダウンロードする音楽データが選択された場合、選択された音楽データのダウンロード要求を通信部２８を介してネットワークＮＴ上の音楽配信サーバに送信する。この結果、この音楽配信サーバから音楽データが送信されてくると、制御部２０は、これを通信部２８で受信して記憶媒体２６に記憶する。このようにして制御部２０は、音楽データを音楽配信サーバからダウンロードし得るようになされている。ちなみに、この場合の音楽データは、関連情報が付加された状態で、音楽配信サーバから送信されるようになされている。
【００２２】
さらに制御部２０は、操作部２１を介して、記憶媒体２６に記憶されている音楽データ（音声データでもよい）を再生する機能（これを記憶データ再生機能とも呼ぶ）が選択された場合、例えば操作部２１を介して指定された音楽データを記憶媒体２６から読み出して、この音楽データに対して再生部２３で復号処理、デジタルアナログ変換処理、増幅処理などの所定の再生処理を施すことにより音楽信号を得、この音楽信号に基づく音楽を出力部２４から出力する。このようにして制御部２０は、記憶データ再生機能を実行するようになされている。
【００２３】
さらに制御部２０は、操作部２１を介して、再生する音楽データとその再生順とを示すプレイリストを生成する機能（これをプレイリスト生成機能とも呼ぶ）が選択された場合、例えば操作部２１を介して記憶媒体２６から指定された音楽データと指定された再生順とを基にプレイリストを生成して記憶媒体２６に記憶する。このようにして制御部２０は、プレイリスト生成機能を実行するようになされている。
【００２４】
さらに制御部２０は、上述の記憶データ再生機能が選択された場合に、記憶媒体２６に記憶されている音楽データではなくプレイリストが指定されると、指定されたプレイリストに示される音楽データをプレイリストに示される再生順に再生する。このようにして制御部２０は、プレイリストにしたがって音楽データを再生し得るようにもなされている。
【００２５】
さらに制御部２０は、操作部２１を介して、自動でプレイリストを生成してこの自動生成したプレイリストにしたがって音楽データを自動再生する機能（これを自動再生機能とも呼ぶ）が選択された場合、プレイリストに記す音楽データを記憶媒体２６から選択するための条件を、あらかじめ多機能端末１１に設定されている条件のなかから選択し、選択した条件に基づいてプレイリストに記す音楽データを記憶媒体２６から選択することでプレイリストを自動生成し、このプレイリストにしたがって音楽データを自動的に再生する。このようにして制御部２０は、自動再生機能を実行するようになされている。
【００２６】
このように多機能端末１１は、ラジオ再生機能、ラジオ録音機能、ＣＤ再生機能、ＣＤリッピング機能、サイトアクセス機能、記憶データ再生機能、プレイリスト生成機能、及び自動再生機能を有しており、ユーザ操作に応じて、各機能を実行するようになされている。
【００２７】
くわえて、この多機能端末１１は、管理サーバ１２から機能実行リストが送信されてくると、これを通信部２８で受信し、この機能実行リストに基づいて制御部２０が上述した各機能を自動的に実行することで、各機能のデモンストレーションを行うようにもなされている。
【００２８】
実際上、図４に示すように、管理サーバ１２から送信されてくる機能実行リストＦＬは、多機能端末１１に実行させる機能の機能識別情報Ｆｄ（Ｆｄ１〜Ｆｄ４）と、機能識別情報Ｆｄにより識別される機能を実行するときのパラメータＰａ（Ｐａ１〜Ｐａ４）とを対応付けてなる機能実行情報Ｆａ（Ｆａ１〜Ｆａ４）のリストである。ちなみにパラメータＰａ（Ｐａ１〜Ｐａ４）には、例えば、機能を実行するときの設定（つまりデモンストレーション用の設定）などが示されている。
【００２９】
ここで、図４に示す機能実行リストＦＬは、１番目にラジオ再生機能に対応する機能識別情報Ｆｄ１とそのパラメータＰａ１とでなる機能実行情報Ｆａ１が記され、２番目にラジオ録音機能に対応する機能識別情報Ｆｄ２とそのパラメータＰａ２とでなる機能実行情報Ｆａ２が記され、３番目にＣＤリッピング機能に対応する機能識別情報Ｆｄ３とそのパラメータＰａ３とでなる機能実行情報Ｆａ１が記され、４番目に自動再生機能に対応する機能識別情報Ｆｄ４とそのパラメータＰａ４とでなる機能実行情報Ｆａ４が記された例である。
【００３０】
この機能実行リストＦＬを受信すると、制御部２０は、まず、機能実行リストＦＬの１番目に記されたラジオ再生機能に対応する機能実行情報Ｆａ１に基づいてラジオ再生機能を自動的に実行した後、機能実行リストＦＬの２番目に記されたラジオ録音機能に対応する機能実行情報Ｆａ２に基づいてラジオ録音機能を実行して、次に機能実行リストＦＬの３番目に記されたＣＤリッピング機能に対応する機能実行情報Ｆａ３に基づいてＣＤリッピング機能を実行して、最後に機能実行リストの４番目に記された自動再生機能に対応する機能実行情報Ｆａ４に基づいて自動再生機能を実行することで、これらラジオ再生機能、ラジオ録音機能、ＣＤリッピング機能、自動再生機能のデモンストレーションを順に行うようになされている。
【００３１】
また、機能実行情報Ｆａ（Ｆａ１〜Ｆａ４）のパラメータＰａ（Ｐａ１〜Ｐａ４）には、機能を実行するときに多機能端末１２に再生させる、機能を紹介する内容のデータ（テキストデータ、音声データ、画像データなどであり、これを機能紹介データとも呼ぶ）の取得先も示されており、多機能端末１１の取得部３２は、例えば、通信部２８を介して、このパラメータＰａ（Ｐａ１〜Ｐａ４）に示される取得先から機能紹介データを取得するようにもなされている。
【００３２】
そして、この取得部３２により取得された機能紹介データ（テキストデータ、音声データ、画像データなど）は、制御部２０が機能実行情報Ｆａ（Ｆａ１〜Ｆａ４）に基づいて機能を実行するときに、表示制御部２９または再生部２３により再生させるようになされている。具体的に言うと、テキストデータ及び画像データは表示制御部２９により再生され、音声データは再生部２３により再生される。
【００３３】
このように多機能端末１１は、機能のデモンストレーションとして、機能を実行するだけでなく、その機能がどのような機能であるのかを、テキスト、画像及び音声などによりユーザに紹介するようにもなされている。これにより、単に機能を実行するだけの場合よりも、機能の内容をユーザに対してより明確に認識させることができる。
【００３４】
このようにして多機能端末１１は、管理サーバ１２から受信した機能実行リストＦＬにしたがって、指定された機能を順に実行すると共に、機能紹介データを対応する機能の実行中に再生することで、指定された機能のデモンストレーションを順に行うようになされている。
【００３５】
次に管理サーバ１２の機能構成について説明する。管理サーバ１２は、図５に示すように、制御部４０が各部を統括的に制御することで各種処理を実行するようになされている。具体的に言うと、制御部４０は、例えば、サーバ管理者により操作部４１を介して機能実行リストＦＬの生成が指示されると、これに応じて、機能実行リストＦＬの内容をサーバ管理者に設定させる設定画面（図示せず）を表示制御部４２を介して表示部４３に表示する。
【００３６】
実際上、この設定画面では、例えば、機能実行リストＦＬの内容として、多機能端末１１に実行させる機能、そのパラメータ、機能紹介データの取得先、機能を実行させる順番などが設定できるようになされ、機能については、多機能端末１１が有する複数の機能から所望の機能を選択できるようになされている。
【００３７】
この設定画面上で機能実行リストＦＬの内容がサーバ管理者により操作部４１を介して設定されると、機能実行リスト生成部４４は、この設定に基づき機能実行リストＦＬを生成する。そして制御部４０は、機能実行リスト生成部４４により生成された機能実行リストＦＬを通信部４５を介して多機能端末１１（１１Ａ〜１１Ｃ）に送信する。
【００３８】
この結果、この機能実行リストＦＬを受信した多機能端末１１では、この機能実行リストＦＬにより指定された機能を自動的に実行すると共に、その機能を紹介する内容の機能紹介データを再生することで、指定された機能のデモンストレーションが行われる。
【００３９】
このようにして、管理サーバ１２は、機能実行リストＦＬを介して、多機能端末１１に指定した機能のデモンストレーションを順に実行させるようになされている。
【００４０】
（１−２−３）デモンストレーション
次に、上述した多機能端末１１による機能のデモンストレーションについてより詳しく説明する。まず図６を用いて、管理サーバ１２で生成される機能実行リストＦＬの構成について詳しく説明する。機能実行リストＦＬは、例えば、タグで記述されるＸＭＬ（eXtensible Markup Language）形式のテキストファイルであり、その先頭部分（図６の例では１行目〜３行目の部分）に記述される情報（これをヘッダ情報とも呼ぶ）Ｈｄと、これに続く１以上の機能実行情報Ｆａ（Ｆａ１０、Ｆａ１１）とで構成される。
【００４１】
ヘッダ情報Ｈｄには、１つの機能実行リストＦＬに対して設定可能な情報が記述されるようになされており、図６に示す例では、この機能実行リストＦＬが有効となる期間の開始時刻（開始タグ<validstart>と終了タグ</validstart>とで囲まれた部分「2006-11-01  00:00:00」）、及び終了時刻（開始タグ<validend>と終了タグ</validend>とで囲まれた部分「2008-11-01  00:00:00」）と、実際に多機能端末１１にこの機能実行リストＦＬによる機能の実行を開始させる時刻（開始タグ<actionstart>と終了タグ</actionstart>とで囲まれた部分「10:00:00」）とが記述されている。
【００４２】
機能実行情報Ｆａは、上述したように機能識別情報ＦｄとパラメータＰａとで構成され、開始タグ<action num=”N”>と終了タグ</action>とで囲まれた部分に、これら機能識別情報ＦｄとパラメータＰａとが記述されるようになされている。ちなみに、開始タグ<action num=”N”>の“Ｎ”は、機能実行情報Ｆａの番号、つまり多機能端末１１に実行させる機能の順番を示す数値であり、図６に示す例では、１番目（Ｎ＝１）に実行させる機能の機能実行情報Ｆａ１０と、２番目（Ｎ＝２）に実行させる機能の機能実行情報Ｆａ１１とが記述されている。
【００４３】
実際上、図６に示す機能実行情報Ｆａ１０には、開始タグ<type>と終了タグ</type>とで囲まれた部分に、ＣＤリッピング機能を示す「cdripping」が機能識別情報Ｆｄ１０として記述されていると共に、開始タグ<option>と終了タグ</option>とで囲まれた部分、及び開始タグ<param>と終了タグ</param>とで囲まれた部分に、ＣＤリッピング機能を実行するときのパラメータＰａ１０が記述されている。
【００４４】
ここで、パラメータＰａ１０の開始タグ<option>と終了タグ</option>とで囲まれた部分は、多機能端末１１にＣＤリッピング機能を実行させるときに再生させる機能紹介データの取得先が記述される部分であり、図６に示す例では、テキストデータの取得先（開始タグ<text>と終了タグ</text>とで囲まれた部分「ＣＤに入っている曲をリッピングしています。」）と、音声データの取得先（開始タグ<audio>と終了タグ</audio>とで囲まれた部分のさらに開始タグ<request>と終了タグ</request>とで囲まれた部分「http://…/cdripping_narration.mp3」）と、画像データの取得先（開始タグ<image>と終了タグ</image>とで囲まれた部分のさらに開始タグ<request>と終了タグ</request>とで囲まれた部分「http://…/cdripping_photo.jpg」））とが記述されている。
【００４５】
ちなみに、この例では、音声データの取得先及び画像データの取得先については、ネットワーク上のアドレスが記述され、テキストデータの取得先については、テキストがそのまま記述されるようになされている。つまり、このことは、音声データ及び画像データの取得先が、ネットワーク上のアドレスにより特定される図示しないデータ記録装置（例えばサーバ）であることを意味する一方で、テキストデータの取得先が、機能実行リストＦＬであることを意味する。
【００４６】
また、パラメータＰａ１０の開始タグ<param>と終了タグ</param>とで囲まれた部分は、ＣＤリッピング機能を実行するときの条件などが記述される部分であり、図６に示す例では、ＣＤ読出部２７に装填されたＣＤに記録されている曲（実際には音楽データ）のうちの、リッピングさせる曲のトラック番号（開始タグ<tracknum>と終了タグ</tracknum>とで囲まれた部分「５」）とトラック名（開始タグ<trackname>と終了タグ</trackname>とで囲まれた部分「aaaaa」）とが記述されている。この場合のトラック名は、例えば、曲名であり、上述した関連情報に含まれる情報であるとする。
【００４７】
このように、この機能実行情報Ｆａ１０には、多機能端末１１に対して、ＣＤに記録されている曲のうちの指定曲をリッピングさせると共に、リッピング機能を紹介する機能紹介データを再生させる旨が示されている。
【００４８】
また、この機能実行情報Ｆａ１０に続く機能実行情報Ｆａ１１には、開始タグ<condition>と終了タグ</condition>とで囲まれた部分に付加情報Ａｄ１１が記述され、さらに開始タグ<type>と終了タグ</type>とで囲まれた部分に、記憶データ再生機能を示す「hddplay」が機能識別情報Ｆｄ１１として記述されていると共に、開始タグ<option>と終了タグ</option>とで囲まれた部分、及び開始タグ<param>と終了タグ</param>とで囲まれた部分に、記憶データ再生機能を実行するときのパラメータＰａ１１が記述されている。
【００４９】
ここで、図６に示す例では、付加情報Ａｄ１１として、開始タグ<depend>と終了タグ</depend>とで囲まれ、さらに開始タグ<action>と終了タグ</action>とで囲まれた部分に、機能実行情報Ｆａ１１が依存する機能実行情報Ｆａの番号（例えば、機能実行情報Ｆａ１０の番号である「１」）が記述されている。つまり、このことは、機能実行情報Ｆａ１１に基づく２番目の記憶データ再生機能を実行させるには、機能実行情報Ｆａ１０に基づく１番目のＣＤリッピング機能が正常に完了していることが条件であることを意味する。
【００５０】
また、パラメータＰａ１１の開始タグ<option>と終了タグ</option>とで囲まれた部分には、多機能端末１１に記憶データ再生機能を実行させるときに再生させる機能紹介データの取得先として、テキストデータの取得先（開始タグ<text>と終了タグ</text>とで囲まれた部分「ＨＤＤに入っている曲を再生しています。」）と、音声データの取得先（開始タグ<audio>と終了タグ</audio>とで囲まれた部分のさらに開始タグ<request>と終了タグ</request>とで囲まれた部分「http://…/hddplay_narration.mp3」）と、画像データの取得先（開始タグ<image>と終了タグ</image>とで囲まれた部分のさらに開始タグ<request>と終了タグ</request>とで囲まれた部分「http://…/hddplay_photo.jpg」））とが記述されている。
【００５１】
また、パラメータＰａ１１の開始タグ<param>と終了タグ</param>とで囲まれた部分には、記憶データ再生機能を実行するときの条件として、記憶媒体２６に記憶されている曲（実際には音楽データ）のうちの、再生させる曲のトラック名（開始タグ<trackname>と終了タグ</trackname>とで囲まれた部分「aaaaa」）と、この曲の曲ＩＤ（開始タグ<uniqid>と終了タグ</uniqid>とで囲まれた部分「HA-abc-00100101」）と、この曲の試聴用データの取得先（開始タグ<audition>と終了タグ</audition>とで囲まれた部分「http://…/aaaaa.mp3」）とが記述されている。
【００５２】
この場合のトラック名（曲名）及び曲ＩＤは、例えば、上述した関連情報に含まれる情報であるとする。また、この場合の試聴用データの取得先は、曲ＩＤにより指定される曲が記憶媒体２６に見付からなかった場合に、多機能端末１１が再生する音楽データの取得先であるとする。
【００５３】
このように、この機能実行情報Ｆａ１１には、多機能端末１１に対して、記憶媒体２６に記憶されている曲のうちの指定曲を再生させると共に、記憶データ再生機能を紹介する機能紹介データを再生させる旨が示されている。
【００５４】
このような機能実行リストＦＬが管理サーバ１２により生成されて、多機能端末１１に送信される。
【００５５】
多機能端末１１の制御部２０は、このような機能実行リストＦＬを管理サーバ１２から受信すると、まず、機能実行リストＦＬのヘッダ情報Ｈｄを参照して、図示しないタイマーから得られる現在時刻が、この機能実行リストＦＬが有効となる期間（これをリスト有効期間とも呼ぶ）内であるかどうかを判断し、リスト有効期間内であれば、さらに、この機能実行リストＦＬによる機能の実行を開始させる時刻（これを実行開始時刻とも呼ぶ）になるまで待ち受ける。
【００５６】
そして多機能端末１１の制御部２０は、この実行開始時刻になると、1番目の機能実行情報Ｆａ１０を参照して、この機能実行情報Ｆａ１０の機能識別情報Ｆｄ１０により指定されるＣＤリッピング機能のデモンストレーションを開始する。
【００５７】
すなわち、制御部２０は、機能実行情報Ｆａ１０のパラメータＰａ１０により指定される曲のリッピングを行うと共に、パラメータＰａ１０により指定される取得先から機能紹介データ（テキストデータ、音声データ及び画像データ）を取得部３２に取得させて、この機能紹介データを表示制御部２９及び再生部２３により再生させる。
【００５８】
このとき、制御部２０は、機能紹介データとして取得された音声データの再生結果として得られる音声を出力部２４から出力させる一方で、機能紹介データとして取得されたテキストデータ及び画像データの再生結果として得られるテキスト及び画像を、図７に示すような、デモンストレーション画面５０の一部として表示部３０に表示させる。ちなみに、音声データは、機能の実行中に再生することを考慮して、例えばストリーミング再生されるようになされている。
【００５９】
デモンストレーション画面５０は、デモンストレーション時に表示制御部２９を介して表示部３０に表示される画面であり、機能紹介データとして取得されたテキストデータの再生結果として得られるテキストが表示されるテキスト表示領域５１と、機能紹介データとして取得された画像データの再生結果として得られる画像が表示される画像表示領域５２と、リッピングしている曲の関連情報といった任意の情報が表示される情報表示領域５３とで構成される。
【００６０】
実際上、機能実行情報Ｆａ１０に基づくＣＤリッピング機能のデモンストレーションが行われる場合、テキスト表示領域５１には、機能実行情報Ｆａ１０のパラメータＰａ１０により指定される取得先（機能実行リストＦＬ）から取得されたテキストデータの再生結果として得られたテキスト「ＣＤに入っている曲をリッピングしています。」が表示され、また画像表示領域５２には、パラメータＰａ１０により指定される取得先（サーバ）から取得された画像データの再生結果として得られた画像が表示され、さらに情報表示領域５３には、リッピングしている曲の関連情報として得られたアーティスト名「ミッドナイト娘。」、収録アルバム名「ミッドナイトコーヒー」及び曲名「セカンドタイム」が表示される。
【００６１】
このように、多機能端末１１は、機能実行情報Ｆａ１０に基づき、ＣＤリッピング機能を実行すると共に、ＣＤリッピング機能を紹介する音声を出力し、さらにＣＤリッピング機能を紹介するテキストと画像とを表示するようになされている。
【００６２】
このような機能実行情報Ｆａ１０に基づくＣＤリッピング機能のデモンストレーションが終了すると、多機能端末１１の制御部２０は、次に、２番目の機能実行情報Ｆａ１１を参照して、この機能実行情報Ｆａ１１の機能識別情報Ｆｄ１１により指定される記憶データ再生機能のデモンストレーションを開始する。
【００６３】
すなわち、制御部２０は、機能実行情報Ｆａ１１のパラメータＰａ１１により指定される曲の再生を行うと共に、パラメータＰａ１１により指定される取得先から機能紹介データ（テキストデータ、音声データ及び画像データ）を取得部３２に取得させて、この機能紹介データを表示制御部２９及び再生部２３により再生させる。
【００６４】
このとき、制御部２０は、機能紹介データとして取得された音声データの再生結果として得られる音声を出力部２４から出力させる一方で、機能紹介データとして取得されたテキストデータ及び画像データの再生結果として得られるテキスト及び画像を、デモンストレーション画面５０の一部として表示部３０に表示させる。
【００６５】
この場合、図８に示すように、デモンストレーション画面５０のテキスト表示領域５１には、機能実行情報Ｆａ１１のパラメータＰａ１１により指定される取得先（機能実行リストＦＬ）から取得されたテキストデータの再生結果として得られたテキスト「ＨＤＤに入っている曲を再生しています。」が表示され、また画像表示領域５２には、パラメータＰａ１１により指定される取得先（サーバ）から取得された画像データの再生結果として得られた画像が表示され、さらに情報表示領域５３には、再生している曲の関連情報として得られたアーティスト名「ミッドナイト娘。」、収録アルバム名「ミッドナイトコーヒー」及び曲名「セカンドタイム」が表示される。
【００６６】
このように、多機能端末１１は、機能実行情報Ｆａ１１に基づき、記憶データ再生機能を実行すると共に、記憶データ再生機能を紹介する音声を出力し、さらに記憶データ再生機能を紹介するテキストと画像とを表示するようになされている。
【００６７】
このようにして、多機能端末１１は、管理サーバ１２から受信した機能実行リストＦＬにしたがって、指定された機能のデモンストレーションを行うようになされている。
【００６８】
（１−２−４）デモンストレーション処理手順
ここで、上述したデモンストレーションを実行する場合の処理手順（これをデモンストレーション処理手順とも呼ぶ）について、図９に示すシーケンスチャートを用いて詳しく説明する。ちなみに、このデモンストレーション処理手順は、主として、多機能端末１１の制御部２０と、管理サーバ１２の制御部４０及び機能実行リスト生成部４４とによって実行される処理手順である。
【００６９】
管理サーバ１２の機能実行リスト生成部４４は、ステップＳＰ１において、図示しない設定画面上で機能実行リストＦＬの内容がサーバ管理者により操作部４１を介して設定されると、この設定に基づき機能実行リストＦＬを生成する。機能実行リスト生成部４４により機能実行リストＦＬが生成されると、管理サーバ１２の制御部４０は、つづくステップＳＰ２において、この機能実行リストＦＬを、通信部４５から多機能端末１１に送信する。
【００７０】
多機能端末１１の制御部２０は、管理サーバ１２から機能実行リストＦＬが送信されてくると、ステップＳＰ１０において、これを通信部２８で受信して、次のステップＳＰ１１に移る。ステップＳＰ１１において多機能端末１１の制御部２０は、受信した機能実行リストＦＬのヘッダ情報Ｈｄを参照して、次のステップＳＰ１２に移る。
【００７１】
ステップＳＰ１２において多機能端末１１の制御部２０は、図示しないタイマーから取得した現在時刻が、ヘッダ情報に記述されている機能実行リストＦＬのリスト有効期間内であるかどうかを判定する。このステップＳＰ１２で肯定結果を得ると、このことは、現在時刻がリスト有効期間内であること、つまり受信した機能実行リストＦＬが現在有効であることを意味しており、このとき多機能端末１１の制御部２０は、ステップＳＰ１３に移る。
【００７２】
ステップＳＰ１３において多機能端末１１の制御部２０は、ヘッダ情報Ｈｄに記述されている実行開始時刻になるまで待ち受け、実行開始時刻になったことを認識すると、ステップＳＰ１４に移る。ステップＳＰ１４において多機能端末１１の制御部２０は、機能実行リストＦＬに記述されているｎ番目の機能実行情報Ｆａを参照して、この機能実行情報Ｆａにより指定される機能を実行すると共に、この機能実行情報Ｆａにより指定される取得先から機能紹介データを取得部３２に取得させて、この機能紹介データを表示制御部２９及び再生処理部２３により再生させる。
【００７３】
ここで、変数ｎの初期値は「１」とする。したがって、ここでは、１番目の機能実行情報Ｆａに基づき、デモンストレーションとして、指定の機能が実行されると共に、指定の機能紹介データが再生される。
【００７４】
このようにして、１番目の機能実行情報Ｆａに基づく処理が終了すると、多機能端末１１の制御部２０は、次のステップＳＰ１５に移る。ステップＳＰ１５において多機能端末１１の制御部２０は、機能実行リストＦＬにｎ＋１番目（つまり２番目）の機能実行情報Ｆａが存在するかどうかを判定する。
【００７５】
このステップＳＰ１５で否定結果を得ると、このことは機能実行リストＦＬには１番目の機能実行情報Ｆａしか存在していないことを意味しており、このとき多機能端末１１の制御部２０は、このデモンストレーション処理手順を終了する。
【００７６】
これに対して、このステップＳＰ１５で肯定結果を得ると、このことは機能実行リストＦＬに少なくとも２番目の機能実行情報Ｆａが存在することを意味しており、このとき多機能端末１１の制御部２０は、ステップＳＰ１６に移り、変数ｎにｎ＋１を代入して、つまりｎ＝２にして、再びステップＳＰ１４に戻る。
【００７７】
ステップＳＰ１４に戻った多機能端末１１の制御部２０は、２番目の機能実行情報Ｆａに基づき、デモンストレーションとして、指定の機能を実行すると共に、指定の機能紹介データを再生させる。ここで、例えば、この２番目の機能実行情報Ｆａに、付加情報Ａｄとして、依存する１番目の機能実行情報Ｆａの番号が記されていた場合、多機能端末１１の制御部２０は、１番目の機能実行情報Ｆａにより指定される機能の実行が正常に完了していれば、この２番目の機能実行情報Ｆａにより指定される機能を実行する一方で、１番目の機能実行情報Ｆａにより指定される機能の実行が正常に完了していなければ、この２番目の機能実行情報Ｆａにより指定される機能の実行を省略するようになされている。
【００７８】
以降、多機能端末１１の制御部２０は、機能実行リストＦＬの最後の機能実行情報Ｆａに基づく処理を終えるまで、つまりステップＳＰ１５で否定結果を得るまで、ステップＳＰ１４〜ステップＳＰ１６の処理を繰り返して、最後の機能実行情報Ｆａに基づく処理を終えると、このデモンストレーション処理手順を終了する。また、多機能端末１１の制御部２０は、その後も、機能実行リストＦＬの有効期間内であれば、ステップＳＰ１２〜ステップＳＰ１６の処理を繰り返し行うことで、機能実行リストＦＬに基づくデモンストレーション処理を繰り返し（例えば毎日指定の開始時刻に）行うようにしてもよい。
【００７９】
また、上述のステップＳＰ１２で否定結果を得た場合、つまり受信した機能実行リストＦＬの有効期間が切れていた場合、多機能端末１１の制御部２０は、ステップＳＰ１３〜ステップＳＰ１６の処理を行わずに、つまり機能実行リストＦＬに基づくデモンストレーションを行わずに、このデモンストレーション処理手順を終了する。
【００８０】
このようなデモンストレーション処理手順にしたがって、多機能端末１１は、管理サーバ１２から受信した機能実行リストＦＬにしたがって、指定された機能のデモンストレーションを行うようになされている。
【００８１】
（１−２−５）第１の実施の形態による動作及び効果
以上の構成において、デモンストレーションシステム１０では、管理サーバ１２が、多機能端末１１に実行させる機能を指定する機能識別情報Ｆｄと、機能の実行と共に多機能端末１１に再生させる機能紹介データの取得先を指定するパラメータＰａとを対応付けてなる機能実行情報Ｆａを機能の実行順に並べた機能実行リストＦＬを生成して、これを多機能端末１１に配信する。
【００８２】
多機能端末１１は、管理サーバ１２から送信されてくる機能実行リストＦＬを受信すると、この機能実行リストＦＬに記された機能実行情報Ｆａを順に参照することで、各機能実行情報Ｆａの機能識別情報Ｆｄにより指定される機能を順に実行すると共に、各機能実行情報ＦａのパラメータＰａにより指定される取得先から機能紹介データを取得して、これを対応する機能の実行中に再生する。
【００８３】
このようにして、多機能端末１１は、管理サーバ１２から受信した機能実行リストＦＬにしたがって、指定された機能を順に実行すると共に、機能紹介データを対応する機能の実行中に再生することで、指定された機能のデモンストレーションを順に行う。
【００８４】
これにより、このデモンストレーションシステム１０では、管理サーバ１２側から、機能実行リストＦＬを介して、多機能端末１１に対し、機能の実行と機能の紹介（テキスト、画像及び音声などの再生）とでなるデモンストレーションを行わせることができる。
【００８５】
また、このデモンストレーションシステム１０では、機能実行リストＦＬに対して、その機能実行リストＦＬの有効期間（リスト有効期間）を設定することにより、管理サーバ１２側から、機能実行リストＦＬを介して、多機能端末１１に対し、機能の実行（つまりデモンストレーション）を行う期間を制御することもできる。
【００８６】
さらに、このデモンストレーションシステム１０では、機能実行リストＦＬに対して、その機能実行リストＦＬによる機能の実行（つまりデモンストレーション）を開始する時刻（実行開始時刻）を設定することにより、管理サーバ１２側から、機能実行リストＦＬを介して、多機能端末１１に対し、機能の実行（つまりデモンストレーション）を開始する時刻を制御することもできる。
【００８７】
このようにして、このデモンストレーションシステム１０では、管理サーバ１２側から、機能実行リストＦＬを介して、多機能端末１１に対し、どのようなデモンストレーションを行わせるかだけでなく、デモンストレーションの実行スケジュールを制御することもできる。
【００８８】
以上の構成によれば、この第１の実施の形態のデモンストレーションシステム１０では、管理サーバ１２から多機能端末１１に機能実行リストＦＬを送信するだけで、多機能端末１１に対して複数の指定した機能を順に実行させることができるだけでなく、各機能の実行と共に任意の機能紹介データを再生させることができ、かくして外部から多機能端末１１の動作を従来と比して一段と容易に且つ細かく制御することができる。
【００８９】
（２）第２の実施の形態
次に、第２の実施の形態について説明する。この第２の実施の形態では、多機能端末１１側で機能実行リストＦＬを生成し得るようになされている点が、第１の実施の形態と異なる点である。したがって、ここでは、この点を中心に説明する。
【００９０】
（２−１）第２の実施の形態によるデモンストレーションシステムの構成
まず、この第２の実施の形態のデモンストレーションシステム５０の構成について図１０を用いて説明する。デモンストレーションシステム５０は、各種機能を有する複数の多機能端末５１（５１Ｌ、５１Ｍ、５１Ｎ）と、これら複数の多機能端末５１（５１Ｌ、５１Ｍ、５１Ｎ）とネットワークＮＴを介して通信可能に接続された管理サーバ５２とで構成される。
【００９１】
ここで、管理サーバ５２は、第１の実施の形態の管理サーバ１２と同様の構成であり、一方で多機能端末５１は、第１の実施の形態の多機能端末１１に機能実行リストＦＬの生成機能を追加した構成を有する。
【００９２】
そして、このデモンストレーションシステム５０では、例えば、複数の多機能端末５１（５１Ｌ、５１Ｍ、５１Ｎ）のうちの１つである多機能端末５１Ｌにより生成された機能実行リストＦＬが、ネットワークＮＴを介して管理サーバ５２に送信されると、これを受信した管理サーバ５２が、この機能実行リストＦＬを、ネットワークＮＴを介して複数の多機能端末５１（５１Ｌ、５１Ｍ、５１Ｎ）に配信するようになされている。
【００９３】
こうすることで、このデモンストレーションシステム５０では、多機能端末５１側から、機能実行リストＦＬを介して、複数の多機能端末５１（５１Ｌ、５１Ｍ、５１Ｎ）に対し、機能のデモンストレーションを行わせることができるようになされている。
【００９４】
（２−２）第２の実施の形態による多機能端末の機能構成
次に、多機能端末５１の機能構成について説明する。なお、上述したように、管理サーバ５２については、第１の実施の形態の管理サーバ１２と同様の構成であるので、第１の実施の形態を参照とする。また、多機能端末５１で生成される機能実行リストＦＬについても、第１の実施の形態と同様の構成であるので、第１の実施の形態を参照とする。
【００９５】
図３との同一部分に同一符号を付して示す図１１に示すように、この多機能端末５１は、第１の実施の形態の多機能端末１１の機能構成に、管理サーバ５２（管理サーバ１２）が有する機能実行リスト生成部４４と同様の機能実行リスト生成部１００を追加した機能構成を有する。
【００９６】
すなわち、多機能端末５１は、ラジオ再生機能、ラジオ録音機能、ＣＤ再生機能、ＣＤリッピング機能、サイトアクセス機能、記憶データ再生機能、プレイリスト生成機能、自動再生機能にくわえて、機能実行リストＦＬの生成機能を有している。
【００９７】
実際上、多機能端末５１の制御部２０は、例えば、ユーザにより操作部２１を介して機能実行リストＦＬの生成が指示されると、これに応じて、機能実行リストＦＬの内容をユーザに設定させる設定画面（図示せず）を表示制御部２９を介して表示部３０に表示する。
【００９８】
実際上、この設定画面では、例えば、機能実行リストＦＬの内容として、多機能端末５１に実行させる機能、そのパラメータ、機能紹介データの取得先、機能を実行させる順番などが設定できるようになされ、機能については、多機能端末５１が有する複数の機能から所望の機能を選択できるようになされている。
【００９９】
この設定画面上で機能実行リストＦＬの内容がユーザにより操作部２１を介して設定されると、機能実行リスト生成部１００は、この設定に基づき機能実行リストＦＬを生成する。そして制御部２０は、機能実行リスト生成部１００により生成された機能実行リストＦＬを通信部２８を介して管理サーバ１２に送信する。
【０１００】
この結果、この機能実行リストＦＬが管理サーバ１２を介して複数の多機能端末５１（５１Ｌ、５１Ｍ、５１Ｎ）に配信される。そして、この機能実行リストＦＬを受信した多機能端末５１では、この機能実行リストＦＬにより指定された機能を自動的に実行すると共に、その機能を紹介する内容の機能紹介データを再生することで、指定された機能のデモンストレーションが行われる。
【０１０１】
このようにして、この第２の実施の形態のデモンストレーションシステム５０では、多機能端末５１側から、機能実行リストＦＬを介して、複数の多機能端末５１（５１Ｌ、５１Ｍ、５１Ｎ）に指定した機能のデモンストレーションを順に実行させることができるようになされている。
【０１０２】
（２−３）第２の実施の形態によるデモンストレーション処理手順
ここで、第２の実施の形態によるデモンストレーション処理手順について、図１２に示すシーケンスチャートを用いて詳しく説明する。ちなみに、ここでは、デモンストレーション処理手順として、多機能端末５１Ｌにより機能実行リストＦＬが生成されて、この機能実行リストＦＬが管理サーバ５２を介して、複数の多機能端末５１（５１Ｌ、５１Ｍ、５１Ｎ）に配信される場合を例に説明する。
【０１０３】
多機能端末５１Ｌの機能実行リスト生成部１００は、ステップＳＰ２０において、図示しない設定画面上で機能実行リストＦＬの内容がユーザにより操作部２１を介して設定されると、この設定に基づき機能実行リストＦＬを生成する。機能実行リスト生成部１００により機能実行リストＦＬが生成されると、多機能端末５１Ｌの制御部２０は、つづくステップＳＰ２１において、この機能実行リストＦＬを、通信部２８から管理サーバ５２に送信する。
【０１０４】
管理サーバ５２の制御部４０は、多機能端末５１Ｌから機能実行リストＦＬが送信されてくると、ステップＳＰ３０において、これを通信部４５で受信して、次のステップＳＰ３１に移る。ステップＳＰ３１において管理サーバ５２の制御部４０は、受信した機能実行リストＦＬを、ネットワークＮＴを介して接続された複数の多機能端末５１（５１Ｌ、５１Ｍ、５１Ｎ）に配信する。
【０１０５】
各多機能端末５１の制御部２０は、管理サーバ５２から機能実行リストＦＬが送信されてくると、ステップＳＰ４０において、これを通信部２８で受信して、この機能実行リストＦＬにしたがって、指定された機能のデモンストレーションを行い、このデモンストレーション処理手順を終了する。
【０１０６】
ここで、このステップＳＰ４０の処理は、第１の実施の形態のデモンストレーション処理手順の多機能端末１１側の処理（つまりステップＳＰ１０〜ステップＳＰ１６までの処理）と同様の処理である。
【０１０７】
このようなデモンストレーション処理手順にしたがって、多機能端末５１Ｌ、５１Ｍ、５１Ｎのそれぞれは、多機能端末５１Ｌにより生成された機能実行リストＦＬにしたがって、指定された機能のデモンストレーションを行うようになされている。
【０１０８】
このように、この第２の実施の形態のデモンストレーションシステム５０では、多機能端末５１側で生成された機能実行リストＦＬに基づいて、機能実行リストＦＬを生成した多機能端末５１を含めた複数の多機能端末５１に対して、指定のデモンストレーションを行わせることができる。換言すると、このデモンストレーションシステム５０では、多機能端末５１のユーザが、多機能端末５１を利用して、所望の機能実行リストＦＬを生成することができるようになされている。
【０１０９】
ゆえに、このデモンストレーションシステム５０では、例えば、複数の店のそれぞれの売り場に展示された多機能端末５１のうちの１つを利用して、ユーザが機能実行リストＦＬを生成するようにすれば、複数の店の売り場に展示された全ての多機能端末５１に、所望のデモンストレーションを行わせることができるので、管理サーバ５２のサーバ管理者に頼らず、且つ多機能端末５１の１台１台にデモンストレーションの設定を行うことなく、全ての多機能端末５１に所望のデモンストレーションを行わせることができる。
【０１１０】
また、このデモンストレーションシステム５０では、例えば、ユーザが多機能端末５１を利用して、どのような機能をどのように使っているのかを示す機能実行リストＦＬを生成するようにすれば、これを他のユーザの多機能端末５１に配信することで、他のユーザに、多機能端末５１の面白い使い方や自分が知らなかった使い方などを提示することもできる。
【０１１１】
（３）第３の実施の形態
次に第３の実施の形態について説明する。この第３の実施の形態では、第１の実施の形態の多機能端末１１及び管理サーバ１２をハードウェア構成により実現する。図１３に示す多機能端末１１は、図３に示した機能構成の多機能端末１１をハードウェア構成により実現した例であり、キーボードやマウスでなる入力デバイス２００がユーザによって操作されると、入力デバイス２００でこれを認識し、その操作に応じた操作入力信号を入力処理部２０１に送る。入力処理部２０１は、供給される操作入力信号に対して所定の処理を施すことにより、操作入力信号を操作コマンドに変換し、これをバス２０２を介して中央処理ユニット（CPU：Central Processing Unit）２０３に送る。
【０１１２】
中央処理ユニット２０３は、ＲＯＭ（Read Only Memory）２０４又はハードディスクドライブ２０５にあらかじめ記憶されている基本プログラムやアプリケーションプログラムなどの各種プログラムをバス２０２を介してＲＡＭ（Random Access Memory）２０６に読み出す。そして中央処理ユニット２０３は、ＲＡＭ２０６上で展開したこれら各種プログラムに従って全体を制御すると共に、所定の演算処理や、入力処理部２０１から与えられる操作コマンドに応じた各種処理を実行する。
【０１１３】
具体的に言うと、中央処理ユニット２０３は、例えば、ユーザにより入力デバイス２００を介して所望の周波数のラジオ放送を再生するよう指示する操作入力信号が入力されると、アンテナ２０７で受信されるラジオ放送波から所望の周波数のラジオ放送信号をチューナ２０８で抽出して、これをバス２０２経由で音声処理部２０９に送る。音声処理部２０９は、ラジオ放送信号に対して、増幅処理などの音声処理を施して、この結果得られた音声信号をスピーカ２１０に送出する。この結果、スピーカ２１０からこの音声信号に基づく音声（つまりラジオ放送の音声）が出力される。
【０１１４】
また、中央処理ユニット２０３は、例えば、ユーザにより入力デバイス２００を介して所望の周波数のラジオ放送を録音するよう指示する操作入力信号が入力されると、アンテナ２０７で受信されるラジオ放送波から所望の周波数のラジオ放送信号をチューナ２０８で抽出して、これをバス２０２経由で音声処理部２０９に送る。音声処理部２０９は、ラジオ放送信号に対して、アナログデジタル変換処理及び圧縮符号化処理などの音声処理を施して、この結果得られた音声データをハードディスクドライブ２０５に記録する。この結果、ハードディスクドライブ２０５にラジオ放送の音声が録音される。
【０１１５】
さらに、中央処理ユニット２０３は、例えば、ユーザにより入力デバイス２００を介してＣＤを再生するよう指示する操作入力信号が入力されると、ディスクドライブ２１１によりＣＤから音楽データを読み出して、これをバス２０２経由で音声処理部２０９に送る。音声処理部２０９は、音楽データに対してデジタルアナログ変換処理及び増幅処理などの音声処理を施して、この結果得られた音楽信号をスピーカ２１０に送出する。この結果、スピーカ２１０からこの音楽信号に基づく音楽（つまりＣＤの音楽）が出力される。
【０１１６】
さらに、中央処理ユニット２０３は、例えば、ユーザにより入力デバイス２００を介してＣＤをリッピングするよう指示する操作入力信号が入力されると、ディスクドライブ２１１によりＣＤから音楽データを読み出して、これをバス２０２経由で音声処理部２０９に送る。音声処理部２０９は、音楽データに対してデータ形式変換処理などの音声処理を施して、この結果得られたリッピング音楽データをハードディスクドライブ２０５に記録する。この結果、ハードディスクドライブ２０５にＣＤがリッピングされる。
【０１１７】
さらに、中央処理ユニット２０３は、例えば、ユーザにより入力デバイス２００を介して音楽配信サイトにアクセスするよう指示する操作入力信号が入力されると、通信処理部２１２及びネットワークインタフェース２１３を順次介して、音楽配信サイトを開設しているネットワークＮＴ上の音楽配信サーバ（図示せず）にアクセスする。この結果、音楽配信サーバから、音楽配信サイトのページデータが送信されてくると、中央処理ユニット２０３は、これをネットワークインタフェース２１３及び通信処理部２１２を順次介して受信し、このページデータをバス２０２経由で表示処理部２１４に送る。表示処理部２１４は、ページデータを基に画面生成処理を行うことにより画面データを生成して、この画面データに基づく画面をディスプレイ２１５に表示する。この結果、ディスプレイ２１５に、音楽配信サイトの画面が表示される。
【０１１８】
さらに、中央処理ユニット２０３は、例えば、ディスプレイ２１５に表示している音楽配信サイトの画面を介してダウンロードする音楽データが入力デバイス２００の操作により選択されると、音楽配信サーバに所望の音楽データの配信を要求する。この結果、音楽配信サーバから所望の音楽データが配信されてくると、中央処理ユニット２０３は、これをネットワークインタフェース２１３及び通信処理２１２を順次介して受信し、この音楽データをハードディスクドライブ２０５に記録する。
【０１１９】
さらに、中央処理ユニット２０３は、例えば、ユーザにより入力デバイス２００を介してハードディスクドライブ２０５に記録されている音楽データ（音声データでもよい）を再生するよう指示する操作入力信号が入力されると、ハードディスクドライブ２０５から入力デバイス２００を介して指定された音楽データを読み出して、これをバス２０２経由で音声処理部２０９に送る。音声処理部２０９は、音楽データに対して復号処理、デジタルアナログ変換処理及び増幅処理などの音声処理を施して、この結果得られた音楽信号をスピーカ２１０に送出する。この結果、スピーカ２１０からこの音楽信号に基づく音楽（ハードディスクドライブ２０５に記録されている音楽データに基づく音楽）が出力される。
【０１２０】
さらに、中央処理ユニット２０３は、例えば、ユーザにより入力デバイス２００を介してプレイリストを生成するよう指示する操作入力信号が入力されると、ハードディスクドライブ２０５から入力デバイス２００を介して指定された音楽データ（音声データでもよい）と、入力デバイス２００を介して指定された再生順とを基にプレイリストを生成してハードディスクドライブ２０５に記録する。
【０１２１】
さらに、中央処理ユニット２０３は、例えば、ユーザにより入力デバイス２００を介してプレイリストにしたがって音楽データを再生するよう指示する操作入力信号が入力されると、入力デバイス２００を介して指定されたプレイリストに示される音楽データを、指定されたプレイリストに示される順に、ハードディスクドライブ２０５から読み出して、これをバス２０２経由で音声処理部２０９に送る。この結果、音声処理部２０９を介してスピーカ２１０から、プレイリストに示される音楽データに基づく音楽がプレイリストに示される再生順に出力される。
【０１２２】
さらに、中央処理ユニット２０３は、例えば、ユーザにより入力デバイス２００を介して自動生成したプレイリストにしたがって音楽データを再生するよう指示する操作入力信号が入力されると、プレイリストに記す音楽データをハードディスクドライブ２０５から所定の条件に基づいて選択することでプレイリストを自動生成し、このプレイリストにしたがって、音楽データを順にハードディスクドライブ２０５から読み出して、これをバス２０２経由で音声処理部２０９に送る。この結果、音声処理部２０９を介してスピーカ２１０から、自動生成したプレイリストに示される音楽データに基づく音楽が自動生成したプレイリストに示される順に出力される。
【０１２３】
さらに、中央処理ユニット２０３は、各種プログラムの実行結果（例えばＧＵＩ画面）に応じた画面データを生成して、これを表示処理部２１４に送る。表示処理部２１４は、画面データに基づく画面をディスプレイ２１５に表示する。
【０１２４】
ところで、この多機能端末１１は、中央処理ユニット２０３がＲＯＭ２０４またはハードディスクドライブ２０５にあらかじめ記憶されている各種プログラムにしたがって各種処理を実行するようになされているので、上述した機能構成の多機能端末１１の各種機能及び実行するデモンストレーション処理に応じて、ＲＯＭ２０４またはハードディスクドライブ２０５に記憶させる各種プログラムを適宜選定することにより、中央処理ユニット２０３を機能構成の制御部２０、プレイリスト生成部３１及び取得部３２と同様に機能させることができ、また入力デバイス２００及び入力処理部２０１を機能構成の操作部２１と同様に機能させることができ、さらに表示処理部２１４を機能構成の表示制御部２９と同様に機能させることができ、さらにディスプレイ２１５を機能構成の表示部３０と同様に機能させることができ、さらに通信処理部２１２及びネットワークインタフェース２１３を機能構成の通信部２８と同様に機能させることができ、さらにハードディスクドライブ２０５を機能構成の記憶媒体２６と同様に機能させることができ、さらに音声処理部２０９を機能構成の再生部２３及び録音部２５と同様に機能させることができ、さらにスピーカ２１０を機能構成の出力部２４と同様に機能させることができ、さらにアンテナ２０７及びチューナ２０８を機能構成のラジオ受信部２２と同様に機能させることができ、さらにディスクドライブ２１１を機能構成のＣＤ読出部２７と同様に機能させることができる。
【０１２５】
したがって、多機能端末１１は、図１３に示すようなハードウェア構成で、上述した第１の実施の形態での機能構成による各種機能を実現することができ、かくして、上述した第１の実施の形態と同様の効果を得ることができる。
【０１２６】
また、このハードウェア構成の多機能端末１１は、中央処理ユニット２０３を上述した第２の実施の形態の多機能端末５１に追加された機能実行リスト生成部１００と同様に機能させることもでき、これにより、上述した第２の実施の形態と同様の効果を得ることもできる。
【０１２７】
一方、図１４に示す管理サーバ１２は、図５に示した機能構成の管理サーバ１２をハードウェア構成により実現した例であり、キーボードやマウスでなる入力デバイス３００がユーザによって操作されると、入力デバイス３００でこれを認識し、その操作に応じた操作入力信号を入力処理部３０１に送る。入力処理部３０１は、供給される操作入力信号に対して所定の処理を施すことにより、操作入力信号を操作コマンドに変換し、これをバス３０２を介して中央処理ユニット３０３に送る。
【０１２８】
中央処理ユニット３０３は、ＲＯＭ３０４又はハードディスクドライブ３０５にあらかじめ記憶されている基本プログラムやアプリケーションプログラムなどの各種プログラムをバス３０２を介してＲＡＭ３０６に読み出す。そして中央処理ユニット３０３は、ＲＡＭ３０６上で展開したこれら各種プログラムに従って全体を制御すると共に、所定の演算処理や、入力処理部３０１から与えられる操作コマンドに応じた各種処理を実行する。
【０１２９】
具体的に言うと、中央処理ユニット３０３は、必要に応じて、通信処理部３０７及びネットワークインタフェース３０８を順次介して、ネットワークＮＴ上の多機能端末１１にアクセスする。
【０１３０】
また、中央処理ユニット３０３は、例えば、サーバ管理者により入力デバイス３００を介して機能実行リストＦＬを生成するよう指示する操作入力信号が入力されると、機能実行リストＦＬの内容をサーバ管理者に設定させる設定画面を表示処理部３０９を介してディスプレイ３１０に表示させる。そして、中央処理ユニット３０３は、この設定画面を介して機能実行リストＦＬの内容が入力デバイス３００の操作により設定されると、この設定に基づき機能実行リストＦＬを生成して、これを通信処理部３０７及びネットワークインタフェース３０８を順次介して多機能端末１１に送信する。
【０１３１】
ところで、この管理サーバ１２は、中央処理ユニット３０３がＲＯＭ３０４またはハードディスクドライブ３０５にあらかじめ記憶された各種プログラムにしたがって各種処理を実行するようになされているので、上述した機能構成の管理サーバ１２の各種機能及び実行するデモンストレーション処理に応じて、ＲＯＭ３０４またはハードディスクドライブ３０５に記憶させる各種プログラムを適宜選定することにより、中央処理ユニット３０３を機能構成の制御部４０及び機能実行リスト生成部４４と同様に機能させることができ、また通信処理部３０７及びネットワークインタフェース３０８を機能構成の通信部４５と同様に機能させることができ、さらに入力デバイス３００及び入力処理部３０１を操作部４１と同様に機能させることができ、さらに表示処理部３０９を機能構成の表示制御部４２と同様に機能させることができ、さらにディスプレイ３１０を機能構成の表示部４３と同様に機能させることができる。
【０１３２】
したがって、管理サーバ１２は、図１４に示すようなハードウェア構成で、上述した第１及び第２の実施の形態での機能構成による各種機能を実現することができ、かくして、上述した第１及び第２の実施の形態と同様の効果を得ることができる。
【０１３３】
ちなみに、この第３の実施の形態では、多機能端末１１の音声処理部２０９による音声処理の一部（圧縮符号化処理、復号処理など）を、中央処理ユニット２０３が行うようにすることで、音声処理部２０９の構成を簡易にしてもよい。
【０１３４】
また、この第３の実施の形態では、多機能端末１１の中央処理ユニット２０３がＲＯＭ２０４またはハードディスクドライブ２０５にあらかじめ記憶された各種プログラムにしたがって、各種処理を実行する場合について述べたが、本発明はこれに限らず、各種プログラムを、ＣＤやＤＶＤ（Digital Versatile Disc）などの記録媒体に記録しておき、中央処理ユニット２０３がこの記録媒体から読み出した各種プログラムにしたがって、各種処理を実行するようにしてもよいし、この記録媒体から各種プログラムをハードディスクドライブ２０５にインストールするようにしてもよい。
【０１３５】
また管理サーバ１２も同様に、各種プログラムを、ＣＤやＤＶＤなどの記録媒体に記録しておき、中央処理ユニット３０３がこの記録媒体から読み出した各種プログラムにしたがって、各種機能に基づく処理を実行するようにしてもよいし、この記録媒体から各種プログラムをハードディスクドライブ３０５にインストールするようにしてもよい。
【０１３６】
（４）他の実施の形態
なお、上述の実施の形態では、ラジオ再生機能、ラジオ録音機能、ＣＤ再生機能、ＣＤリッピング機能、サイトアクセス機能、記憶データ再生機能、プレイリスト生成機能及び自動再生機能を有する多機能端末１１に本発明を適用した場合について述べたが、本発明はこれに限らず、例えば、これらの機能のうちの一部しか有していない多機能端末１１に本発明を適用することもできる。
【０１３７】
この場合、一部の機能しか有していない多機能端末１１は、管理サーバ１２から受信した機能実行リストＦＬに、自身が有していない機能の機能実行情報Ｆａが記述されていると、この機能実行情報Ｆａは無視して、自身が有している機能の機能実行情報Ｆａのみに基づいて機能を実行すればよい。
【０１３８】
これについて、例えば、図１５に示すように、ラジオ再生機能、ＣＤ再生機能、ＣＤリッピング機能、サイトアクセス機能、記憶データ再生機能、プレイリスト生成機能及び自動再生機能を有する多機能端末（つまりラジオ録音機能を有していない多機能端末）１１が、１番目にラジオ再生機能に対応する機能識別情報Ｆｄ１とそのパラメータＰａ１とでなる機能実行情報Ｆａ１が記され、２番目にラジオ録音機能に対応する機能識別情報Ｆｄ２とそのパラメータＰａ２とでなる機能実行情報Ｆａ２が記され、３番目にＣＤリッピング機能に対応する機能識別情報Ｆｄ３とそのパラメータＰａ３とでなる機能実行情報Ｆａ１が記され、４番目に自動再生機能に対応する機能識別情報Ｆｄ４とそのパラメータＰａ４とでなる機能実行情報Ｆａ４が記された機能実行リストＦＬを受信した場合を例に説明する。
【０１３９】
この場合、多機能端末１１の制御部２０は、この機能実行リストＦＬを受信すると、まず、機能実行リストＦＬの１番目に記されたラジオ再生機能に対応する機能実行情報Ｆａ１に基づいてラジオ再生機能を実行した後、機能実行リストＦＬの２番目に記された自身が有していないラジオ録音機能に対応する機能実行情報Ｆａ２をスキップして、機能実行リストＦＬの３番目に記されたＣＤリッピング機能に対応する機能実行情報Ｆａ３に基づいてＣＤリッピング機能を実行して、最後に機能実行リストの４番目に記された自動再生機能に対応する機能実行情報Ｆａ４に基づいて自動再生機能を実行することで、ラジオ再生機能、ＣＤリッピング機能、自動再生機能のデモンストレーションを順に行う。
【０１４０】
このようにすれば、管理サーバ１２で生成する機能実行リストＦＬはそのままに、多機能端末１１のそれぞれが、自身の有する機能に応じて、且つ機能実行リストＦＬにしたがって、機能のデモンストレーションを行うことができる。つまり、必ずしもデモンストレーションシステム１０を構成する全ての多機能端末１１が同じ機能を有していなくともよい。
【０１４１】
また、これに限らず、多機能端末１１のそれぞれで、機能ごとに、デモンストレーションの許可、または禁止を設定できるようにしてもよい。
【０１４２】
これについて、例えば、図１６に示すように、ラジオ再生機能、ラジオ録音機能、ＣＤ再生機能、ＣＤリッピング機能、サイトアクセス機能、記憶データ再生機能、プレイリスト生成機能及び自動再生機能を有し、且つＣＤリッピング機能のデモンストレーションが禁止に設定された多機能端末１１が、１番目にラジオ再生機能に対応する機能識別情報Ｆｄ１とそのパラメータＰａ１とでなる機能実行情報Ｆａ１が記され、２番目にラジオ録音機能に対応する機能識別情報Ｆｄ２とそのパラメータＰａ２とでなる機能実行情報Ｆａ２が記され、３番目にＣＤリッピング機能に対応する機能識別情報Ｆｄ３とそのパラメータＰａ３とでなる機能実行情報Ｆａ１が記され、４番目に自動再生機能に対応する機能識別情報Ｆｄ４とそのパラメータＰａ４とでなる機能実行情報Ｆａ４が記された機能実行リストＦＬを受信した場合を例に説明する。
【０１４３】
この場合、多機能端末１１の制御部２０は、この機能実行リストＦＬを受信すると、まず、機能実行リストＦＬの１番目に記されたラジオ再生機能に対応する機能実行情報Ｆａ１に基づいてラジオ再生機能を実行した後、機能実行リストＦＬの２番目に記されたラジオ録音機能に対応する機能実行情報Ｆａ２に基づいてラジオ録音機能を実行して、次に機能実行リストＦＬの３番目に記された、デモンストレーションが禁止に設定されているＣＤリッピング機能に対応する機能実行情報Ｆａ３をスキップして、最後に機能実行リストの４番目に記された自動再生機能に対応する機能実行情報Ｆａ４に基づいて自動再生機能を実行することで、ラジオ再生機能、ラジオ録音機能、自動再生機能のデモンストレーションを順に行う。
【０１４４】
このようにすれば、管理サーバ１２で生成する機能実行リストＦＬはそのままに、多機能端末１１ごとに異なる機能のデモンストレーションを行うことができる。ちなみに、この場合の機能ごとのデモンストレーションの許可、または禁止は、例えば、ユーザが多機能端末１１に対して設定するようにして、多機能端末１１はこの設定に基づき、機能ごとの設定情報として記憶媒体２６に記憶する。
【０１４５】
さらに、上述の実施の形態では、機能実行リストＦＬのヘッダ情報Ｈｄに、リスト有効期間と、実行開始時刻とを記述するようにした場合について述べたが、本発明はこれに限らず、これらリスト有効期間と実行開始時刻を記述しなくてもよいし、どちらか一方を記述するようにしてもよい。また、実行開始時刻については、時分秒、月日時分秒、年月日時分秒などのように、種々の単位で設定するようにしてもよい。
【０１４６】
さらに、上述の実施の形態では、機能実行情報Ｆａ（例ではＦａ１１）ごとの付加情報Ａｄ（実施例ではＡｄ１１）として、機能実行情報Ｆａが依存する機能実行情報Ｆａの番号を記述した場合について述べたが、本発明はこれに限らず、例えば、機能実行情報Ｆａごとの付加情報Ａｄとして、機能実行情報Ｆａに基づく機能の実行開始時刻や、実行時間を記述するようにして、多機能端末１１に対して、各機能の実行開始時刻や実行時間を指定するようにしてもよい。
【０１４７】
具体的には、例えば、図１７に示すように、機能実行情報Ｆａ１０の付加情報Ａｄ１００として、開始タグ<condition>と終了タグ</condition>とで囲まれ、さらに開始タグ<duration>と終了タグ</duration>とで囲まれた部分に、機能実行情報Ｆａ１0に基づく機能の実行時間を示す数値（この場合「３０００」）を記述するようにしてもよい。この場合、多機能端末１１の制御部２０は、機能実行情報Ｆａ１0に基づく機能を、この実行時間だけ実行する。
【０１４８】
このようにすれば、多機能端末１１に対して、より細かなスケジュールでデモンストレーションを実行させることもできる。
【０１４９】
さらに、上述の実施の形態では、管理サーバ１２とネットワークＮＴを介して接続された全ての多機能端末１１（１１Ａ、１１Ｂ、１１Ｃ）に対して、管理サーバ１２から機能実行リストＦＬを配信するようにした場合について述べたが、本発明はこれに限らず、機能実行リストＦＬを配信する多機能端末１１を限定するようにしてもよい。
【０１５０】
具体的に言うと、例えば、多機能端末１１ごとに、機能実行リストＦＬの受信を許可または禁止する設定をユーザに行わせて、この設定を示す設定情報を多機能端末１１から管理サーバ１２に送信しておき、管理サーバ１２が、この設定情報を基に、機能実行リストＦＬの受信を許可している多機能端末１１に対してのみ、機能実行リストＦＬを配信するようにしてもよい。
【０１５１】
また、同様に、上述の第２の実施の形態の多機能端末５１側で生成される機能実行リストＦＬを配信する多機能端末５１を限定するようにしてもよい。この場合、例えば、多機能端末５１Ｌのユーザに機能実行リストＦＬを配信する例えば多機能端末５１Ｍ及び５１Ｎの識別情報を入力させて、この識別情報を機能実行リストＦＬのヘッダ情報Ｈｄに記述しておき、管理サーバ１２が、このヘッダ情報Ｈｄに記述された識別情報により識別される多機能端末５１Ｍ及び５１Ｎに対して、機能実行リストＦＬを配信するようにしてもよい。
【０１５２】
これにより、例えば、多機能端末５１の機能を熟知しているユーザが自身の多機能端末５１で生成した機能実行リストＦＬを、他のユーザの多機能端末５１に配信することで、多機能端末５１の利用法を他のユーザに教えることもできる。
【０１５３】
さらに、上述の実施の形態では、機能の内容を紹介する機能紹介データとして、テキストデータ、音声データ及び画像データを多機能端末１１に再生させるようにした場合について述べたが、本発明はこれに限らず、少なくともこれらのうちの１つを再生させるようにしてもよいし（つまり機能実行リストＦＬに少なくともこれらのうちの１つの取得先が記述されていればよい）、テキストデータ、音声データ及び画像データに限らず、ページデータ、プログラムデータ、動画像データなどを多機能端末１１に再生させるようにしてもよい（つまり機能実行リストＦＬにページデータ、プログラムデータ、動画像データなどの取得先を記述するようにしてもよい）。
【０１５４】
さらに、上述の実施の形態では、管理サーバ１２で機能実行リストＦＬを生成した後、管理サーバ１１が多機能端末１１に対して機能実行リストＦＬを配信するようにした場合について述べたが、実際上、多機能端末１１側から、機能実行リストＦＬの配信要求がなされた時点で、この多機能端末１１に対して機能実行リストＦＬを配信するようにしてもよい。
【０１５５】
さらに、上述の実施の形態では、パラメータＰａに、記憶データ再生機能を実行するときの条件として、指定の音楽データが記憶媒体２６に見付からなかったときのために、試聴用データの取得先として、ネットワークＮＴ上のアドレスを記述するようにした場合について述べたが、本発明はこれに限らず、例えば、アドレスではなく、曲ＩＤ（この場合、システム全体で曲を一意に特定できるＩＤとする）を、視聴用データの取得先として利用するようにしてもよい。
【０１５６】
この場合、多機能端末１１は、例えば、指定の音楽データが記憶媒体２６に見付からなかった場合に、この音楽データの曲ＩＤを、所定の音楽配信サーバに送信することで、この音楽配信サーバからこの音楽データの視聴用データを取得して、再生するようにすればよい。また、この視聴用データについては、ストリーミング再生に限らず、対応する機能の実行前に、ダウンロードして再生するようにしてもよい。
【０１５７】
さらに、機能紹介データの取得先についても、ネットワーク上のアドレスに限らず、機能紹介データのＩＤを記述するようにして、このＩＤを基に多機能端末１１が機能紹介データを配信する所定のサーバから機能紹介データを取得するようにしてもよい。
【０１５８】
さらに、上述の実施の形態では、機能紹介データのうちの、テキストデータ及び画像データの再生結果を、デモンストレーション画面５０に表示するようにした場合について述べたが、本発明はこれに限らず、この他種々の画面に、テキストデータ及び画像データを表示するようにしてもよい。
【０１５９】
さらに、上述の実施の形態では、管理サーバ１２側で機能実行リストＦＬを生成する第１の実施の形態と、多機能端末５１側で機能実行リストＦＬを生成する第２の実施の形態とについて述べたが、本発明はこれに限らず、これら第１及び第２の実施の形態の一部または全部を任意に組み合わせた形態に本発明を適用してもよい。
【０１６０】
さらに、上述の実施の形態では、多機能端末１１の機能をデモンストレーションするデモンストレーションシステム１０及び５０に本発明を適用した場合について述べたが、本発明はこれに限らず、各種機能を有する端末に、端末外部から、機能実行リストを介して、機能を実行させるようなシステムであれば、この他種々のシステムに本発明を適用してもよい。
【０１６１】
また、機能を実行するときに再生させるデータとして、機能紹介データを再生させるようにした場合について述べたが、本発明はこれに限らず、例えば、広告データなどの所望のデータを、機能を実行するときに再生させるようにしてもよい。
【産業上の利用可能性】
【０１６２】
本発明は、各種機能を有する端末を外部からコントロールするシステムに広く利用することができる。
【図面の簡単な説明】
【０１６３】
【図１】第１の実施の形態の概要となる通信システムの構成を示すブロック図である。
【図２】第１の実施の形態の具体例となるデモンストレーションシステムの構成を示す略線図である。
【図３】第１の実施の形態による多機能端末の機能構成を示すブロック図である。
【図４】機能実行リストに基づくデモンストレーションの概要の説明に供する略線図である。
【図５】第１の実施の形態による管理サーバの機能構成を示すブロック図である。
【図６】機能実行リストの具体的な構成を示す略線図である。
【図７】デモンストレーション画面の構成（１）を示す略線図である。
【図８】デモンストレーション画面の構成（２）を示す略線図である。
【図９】第１の実施の形態によるデモンストレーション処理手順を示すシーケンスチャートである。
【図１０】第２の実施の形態によるデモンストレーションシステムの構成を示す略線図である。
【図１１】第２の実施の形態による多機能端末の機能構成を示すブロック図である。
【図１２】第２の実施の形態によるデモンストレーション処理手順を示すシーケンスチャートである。
【図１３】第３の実施の形態による多機能端末のハードウェア構成を示すブロック図である。
【図１４】第３の実施の形態による管理サーバのハードウェア構成を示すブロック図である。
【図１５】他の実施の形態によるデモンストレーション（１）の説明に供する略線図である。
【図１６】他の実施の形態によるデモンストレーション（２）の説明に供する略線図である。
【図１７】他の実施の形態による機能実行リストの構成を示す略線図である。
【符号の説明】
【０１６４】
１……通信システム、２……サーバ、３……端末装置、４……リスト生成部、５……送信部、６……受信部、７、３２……取得部、８、２３……再生部、９、２０、４０……制御部、１０、５０……デモンストレーションシステム、１１、５１……多機能端末、１２、５２……管理サーバ、２８、４５……通信部、４４、１００……機能実行リスト生成部、２０３、３０３……ＣＰＵ、２１２、３０７……通信処理部、２１３、３０８……ネットワークインタフェース、Ｆａ……機能実行情報、Ｆｄ……機能識別情報、ＦＬ……機能実行リスト、Ｐａ……パラメータ。
【図１】
2008217123.tif 000003
【図２】
2008217123.tif 000004
【図３】
2008217123.tif 000005
【図４】
2008217123.tif 000006
【図５】
2008217123.tif 000007
【図６】
2008217123.tif 000008
【図７】
2008217123.tif 000009
【図８】
2008217123.tif 000010
【図９】
2008217123.tif 000011
【図１０】
2008217123.tif 000012
【図１１】
2008217123.tif 000013
【図１２】
2008217123.tif 000014
【図１３】
2008217123.tif 000015
【図１４】
2008217123.tif 000016
【図１５】
2008217123.tif 000017
【図１６】
2008217123.tif 000018
【図１７】
2008217123.tif 000019